(57)【要約】【課題】本発明の課題は、ネットワークを介して画像データをアップロードさせ画像データを的確に管理すると共に、アップロードされた画像データを容易に利用可能とする。【解決手段】店舗端末１０は、撮影された証明写真の画像データを取得して、所定の画像処理を行い、画像処理が施された画像データのサムネール画像を生成する。また、店舗端末１０は、当該画像データに固有のＩＤ番号を発行して、顧客に任意の暗証番号を入力させ、ＣＤ−Ｒにサムネール画像、ＩＤ番号、暗証番号、閲覧先ＵＲＬ等を記録する。さらに、店舗端末１０は、ＣＤ−Ｒに情報の記録が行われると、データ管理サーバ３０の備えるＤＢ３５の所定の格納場所に画像データ及びＩＤ番号をアップロードさせ、ＩＤ番号と暗証番号をデータ管理サーバ３０に送信する。【選択図】      図１
2004328527.tif 000002
【特許請求の範囲】
【請求項１】
ネットワークを介して画像データをアップロードする送信手段と、アップロードされた画像データを管理する管理手段とを備える画像データ管理システムであって、
アップロードされた画像データを閲覧するために必要となる情報を記録メディアに記録する記録手段と、
前記記録手段により、記録メディアに前記情報の記録が開始された場合、前記送信手段に、画像データを指定された格納場所へアップロードさせる許可を行う制御手段と、
を備えることを特徴とする画像データ管理システム。
【請求項２】
前記記録手段は、画像データを閲覧するために必要となる情報として、画像データの識別情報、指定された画像データの格納場所を示す情報、画像データへのアクセス方法を示す情報の所在地のうち少なくとも１つ以上を記録メディアに記録することを特徴とする請求項１記載の画像データ管理システム。
【請求項３】
前記送信手段は、前記画像データに対応付けて画像データの識別情報を送信し、
前記記録手段は、画像データの識別情報を記録メディアに記録することを特徴とする請求項１又は２記載の画像データ管理システム。
【請求項４】
前記送信手段は、前記画像データの識別情報に対応付けてパスワードを送信し、
前記管理手段は、前記画像データの識別情報に基づいてパスワードを管理して、対応する画像データの閲覧を制限することを特徴とする請求項３記載の画像データ管理システム。
【請求項５】
コンピュータに、
アップロードされた画像データを閲覧するために必要となる情報を記録メディアに記録する機能と、
記録メディアに前記情報の記録が開始された場合、画像データを指定された格納場所へアップロードさせる許可を行う機能と、
を実現させるためのプログラム。
【請求項６】
コンピュータに、
画像データを閲覧するために必要となる情報として、画像データの識別情報、指定された画像データの格納場所を示す情報、画像データへのアクセス方法を示す情報の所在地のうち少なくとも１つ以上を記録メディアに記録する機能を実現させるためのプログラム。
【請求項７】
コンピュータに、
画像データに対応付けて画像データの識別情報を送信する機能と、
画像データの識別情報を記録メディアに記録する機能と、
を実現させるためのプログラム。
【請求項８】
コンピュータに、
画像データの識別情報に対応付けてパスワードを送信する機能と、
前記画像データの識別情報に基づいてパスワードを管理して、画像データの閲覧を制限する機能と、
を実現させるためのプログラム。
【発明の詳細な説明】
【０００１】
【発明の属する技術分野】
本発明は、ネットワークを介して画像データを管理する画像データ管理システム及びプログラムに関するものである。
【０００２】
【従来の技術】
従来、証明写真を撮影する場合、写真専門店や街角に設置された証明写真ボックスに出向いて撮影していた。写真専門店で撮影をした場合には、その写真専門店に証明写真のネガが保管されるため、利用者は後日、証明写真の焼き増しを依頼して追加の証明写真を得ることができる。
【０００３】
また、近年では、デジタルカメラで撮影した画像データや、銀塩フィルムで撮影された写真をスキャナ等により読み取らせた画像データに、画像合成、引き伸ばし処理、画質補正等の各種画像処理を施した後、処理された画像データを、例えば、フロッピーディスク（登録商標）などの記憶媒体に記録して、証明写真プリントと一緒に提供するサービスが行なわれている。この記録媒体に記録された画像データには、改竄や誤った画像処理が行われないように、画像データを記録媒体に記録する際に、読み取りプロテクトが掛けられている（例えば、特許文献１参照）。
【０００４】
このようなサービスによれば、証明写真のプリントを再注文する場合、顧客は、写真専門店に画像データが記録された記録媒体を持ち込み、再注文の依頼を行なう。一方、写真専門店は、読み取りプロテクトを解除して、記録媒体に記録された画像データを取得し、簡単かつ速やかに再注文された証明写真プリントを提供することができる。
【０００５】
【特許文献１】
特開２００１−３５９０４５号公報
【０００６】
【発明が解決しようとする課題】
しかしながら、上述した証明写真システムにおいては、証明写真の再注文を行う場合、写真専門店まで記録媒体を持ち込む必要があり、手間が係るというだけでなく、写真専門店が営業を行っている時間内に出向く必要があり、忙しい顧客は再注文の依頼が困難であるという問題があった。また、記録媒体は、顧客が管理するため、記録媒体の紛失や、不適切な管理方法により記録された画像データが破損されてしまう場合があり、この場合、再度証明写真を取り直さなければならず、無駄が多かった。
【０００７】
本発明の課題は、ネットワークを介して画像データをアップロードさせ画像データを的確に管理すると共に、アップロードされた画像データを容易に利用可能な画像データ管理システム及びプログラムを提供することである。
【０００８】
【課題を解決するための手段】
上記課題を解決するために、請求項１記載の発明は、
ネットワークを介して画像データをアップロードする送信手段と、アップロードされた画像データを管理する管理手段とを備える画像データ管理システムであって、
アップロードされた画像データを閲覧するために必要となる情報を記録メディアに記録する記録手段と、
前記記録手段により、記録メディアに前記情報の記録が開始された場合、前記送信手段に、画像データを指定された格納場所へアップロードさせる許可を行う制御手段と、
を備えることを特徴とする。
【０００９】
したがって、画像データを閲覧するために必要な情報を記録メディアに記録させて、画像データをアップロードすることができる。これにより、アップロード後に画像データを閲覧する場合、記録メディアを利用して、簡単な操作により画像データにアクセスして、所望する画像データを閲覧、利用することができ、利便性、操作性がよい。なお、制御手段により、画像データのアップロードが許可されるタイミングは、少なくとも記録メディアに前記情報の記録が開始されたタイミングであれば良く、記録メディアに前記情報の記録が済んだ後であっても勿論よい。これにより、記録メディアの記録忘れを回避し、確実にサービスを提供することができる。
【００１０】
請求項２記載の発明は、請求項１記載の画像データ管理システムにおいて、
前記記録手段は、画像データを閲覧するために必要となる情報として、画像データの識別情報、指定された画像データの格納場所を示す情報、画像データへのアクセス方法を示す情報の所在地のうち少なくとも１つ以上を記録メディアに記録することを特徴とする。
【００１１】
したがって、記録メディアに記録された種々の情報に基づいて、アップロードされた画像データにアクセスして、画像データを容易に閲覧、利用することができる。これにより、様々な形態のシステムに本発明を適用することが可能であり、汎用性の高い画像データ管理システムを提供することができる。
【００１２】
請求項３記載の発明は、請求項１又は２記載の画像データ管理システムにおいて、
前記送信手段は、前記画像データに対応付けて画像データの識別情報を送信し、
前記記録手段は、画像データの識別情報を記録メディアに記録することを特徴とする。
【００１３】
したがって、画像データに画像データの識別情報を対応付けてアップロードさせると共に、記録メディアに画像データの識別情報を記録させるため、アップロードされた画像データと、記録メディアとの対応関係を明確にすることができる。これにより、画像データの紛失等を防止することができる。
【００１４】
請求項４記載の発明は、請求項３記載の画像データ管理システムにおいて、
前記送信手段は、前記画像データの識別情報に対応付けてパスワードを送信し、
前記管理手段は、前記画像データの識別情報に基づいてパスワードを管理して、対応する画像データの閲覧を制限することを特徴とする。
【００１５】
したがって、画像データの識別情報に基づいてパスワードにより画像データを管理することができるため、第三者の画像データの閲覧、利用を制限して、セキュリティの高い画像データ管理システムを提供することができる。
【００１６】
請求項５記載の発明は、
コンピュータに、
アップロードされた画像データを閲覧するために必要となる情報を記録メディアに記録する機能と、
記録メディアに前記情報の記録が開始された場合、画像データを指定された格納場所へアップロードさせる許可を行う機能と、
を実現させるためのプログラムであることを特徴とする。
【００１７】
請求項６記載の発明は、
コンピュータに、
画像データを閲覧するために必要となる情報として、画像データの識別情報、指定された画像データの格納場所を示す情報、画像データへのアクセス方法を示す情報の所在地のうち少なくとも１つ以上を記録メディアに記録する機能を実現させるためのプログラムであることを特徴とする。
【００１８】
請求項７記載の発明は、
コンピュータに、
画像データに対応付けて画像データの識別情報を送信する機能と、
画像データの識別情報を記録メディアに記録する機能と、
を実現させるためのプログラムであることを特徴とする。
【００１９】
請求項８記載の発明は、
コンピュータに、
画像データの識別情報に対応付けてパスワードを送信する機能と、
前記画像データの識別情報に基づいてパスワードを管理して、画像データの閲覧を制限する機能と、
を実現させるためのプログラムであることを特徴とする。
【００２０】
【発明の実施の形態】
以下、図を参照して本発明の実施の形態を詳細に説明する。ただし、発明の範囲は、図示例に限定されない。なお、以下では、本発明に特徴的な画像データを閲覧するために必要となる情報は、画像データを閲覧するためのＵＲＬである場合を例として説明を行うが、画像データの識別情報等、その他種々の情報に基づいて、画像データの閲覧が可能となる構成であってよい。これらの画像データを閲覧するために必要となる情報は、ＨＴＭＬ形式等のテキストファイルで記録されていてもよいし、画像データを閲覧するプログラムが参照するバイナリファイルで記録されていてもよい。なお、閲覧される画像データは、アップロードした画像データそのものでもよいし、アップロードした画像データを縮小など加工処理して得られた画像データであってもよい。また、本実施の形態においては、本発明に係る画像データ管理システムが証明写真システムに適用された場合を例として説明し、画像データの識別情報をＩＤ番号とし、パスワードを暗証番号として以下説明する。
【００２１】
また、記録メディアは、データを記録しておくための記録媒体であり、磁気的、または光学的に記憶を行うものである。具体的には、ＣＤ−Ｒ（ＣＤ−Ｒｅｃｏｒｄａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、ＭＯ（Ｍａｇｎｅｔｏ  Ｏｐｔｉｃａｌ  ｄｉｓｋ）等の記録媒体を適用することが可能である。本実施の形態においては、記録メディアがＣＤ−Ｒである場合を例として説明を行う。
【００２２】
まず、本実施の形態の構成を説明する。
図１は、本実施の形態における証明写真システム１００のシステム構成を示す概念図である。図１に示すように、証明写真システム１００は、店舗端末１０、データ管理サーバ３０、顧客端末４０を備えて構成されている。また、店舗端末１０と、データ管理サーバ３０と、顧客端末４０は、ネットワークＮを介して相互にアクセス可能に接続されている。
【００２３】
ネットワークＮは、電話回線網、ＩＳＤＮ回線網、専用線、移動体通信網、通信衛星回線、ＣＡＴＶ回線網等の各種通信回線と、それらを接続するインターネットサービスプロバイダ基地局等を含む。ネットワークＮは、任意な時に接続が可能であればよく、常時接続されている必要はない。また、ネットワークＮは、情報管理の信頼性の観点から、特定のユーザのみアクセス可能なセキュリティを確保しているネットワークであることが望ましい。
【００２４】
店舗端末１０は、汎用のパーソナルコンピュータ（以下、「ＰＣ」と省略する）等から構成され、写真専門店等に備えられる装置である。店舗端末１０は、撮影された証明写真の画像データを取得すると共に、取得された画像データのＩＤ番号を発行し、ＩＤ番号に対応する暗証番号を入力させて、データ管理サーバ３０にアップロードされた画像データを閲覧するために必要なＵＲＬを指定する。また、店舗端末１０は、画像データのＩＤ番号や画像データを閲覧するために必要なＵＲＬ等をＣＤ−Ｒに記録し、画像データとＩＤ番号をデータ管理サーバ３０の指定された格納場所にアップロードさせる。
【００２５】
ここで、ＩＤ番号は、アップロードを行う画像データを一義的に特定するための識別情報である。また、画像データの格納場所は、後述するデータ管理サーバ３０の備えるデータベース３５における格納場所であり、予め所定の格納場所が決められているものとする。また、画像データを閲覧するために必要となるＵＲＬは、データベース３５に格納された画像データの格納場所又はその画像データに対するアクセス方法を示す情報の所在地を示すものである。
【００２６】
すなわち、当該ＵＲＬが画像データの格納場所を示す情報である場合、顧客端末４０は、ＵＲＬに基づいて、画像データの格納場所に直接アクセスして画像データを閲覧することができる。また、ＵＲＬが画像データに対するアクセス方法を示す情報の所在地を示す場合、例えば、公開される画像データが画像データのアップロード時に格納された格納場所と異なる場所に格納されている場合、画像データを閲覧するために必要となるＵＲＬにアクセスすることにより、画像データのアクセス方法を取得して、データベース３５又はデータ管理サーバ３０以外に格納されている画像データを閲覧することができる。
【００２７】
また、画像データを閲覧するために必要となるＵＲＬとして、ログイン認証を行うためのページが指定され、当該ＵＲＬに基づいてアクセスしてきた顧客端末４０にＩＤ番号及び暗証番号を送信させて、ログイン認証を行った後に、ＩＤ番号に対応する画像データが取得され、画像データが閲覧可能になる構成であってもよい。なお、以下、画像データを閲覧するために必要となるＵＲＬを簡便のため「閲覧先ＵＲＬ」と記す。
【００２８】
店舗端末１０について詳細に説明する。図２は、店舗端末１０の機能的構成を示すブロック図である。図１に示すように、店舗端末１０は、ＣＰＵ１１、メモリ１２、記憶部１３、Ｉ／Ｆ１４、メモリスロット１５、ＣＤ−Ｒ記録再生部１６、表示部１７、入力部１８、Ｉ／Ｆ１９、印刷部２０、通信部２１等により構成され、メモリスロット１５及び印刷部２０を除く各部はマザーボード２２を介して接続されている。
【００２９】
ＣＰＵ（Ｃｅｎｔｒａｌ  Ｐｒｏｃｅｓｓｉｎｇ  Ｕｎｉｔ）１１は、記憶部１３に格納されている各種プログラムの中から指定されたプログラムを、メモリ１２内の図示しないワークエリアに展開し、入力部１８、及び通信部２１から入力されるデータに応じて、プログラムに従った各種処理を実行し、処理結果をメモリ１２内のワークメモリに格納する。また、処理結果を表示するための表示情報を生成して表示部１７へ出力する。
【００３０】
具体的に、ＣＰＵ１１は、記憶部１３に格納されているデータアップロード処理プログラムを読み出して、画像データをデータ管理サーバ３０にアップロードするためのデータアップロード処理（図５参照）を実行する。
【００３１】
メモリ１２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成され、ＣＰＵ１１によって実行される各種プログラムやこれら各種プログラムに係るデータ等を一時的に記憶するワークエリアを形成する。
【００３２】
記憶部１３は、プログラムやデータ等が予め記録されている記録媒体（図示せず）を有しており、この記録媒体は磁気的、光学的記録媒体、若しくは半導体メモリで構成されている。この記録媒体は、記憶部１３に固定的に設けられるもの、若しくは着脱自在に装着するものであり、この記録媒体には、システムプログラム、当該システムに対応する各種処理プログラム、及び各種処理プログラムで処理されたデータ等を記録する。また、プログラムは、コンピュータが読み取り可能なプログラムコードの形態で格納され、ＣＰＵ１１は、当該プログラムコードに従った動作を逐次実行する。
【００３３】
また、記録媒体に記憶するプログラム、データ等は、その一部若しくは全部をサーバやクライアント等の他の機器からＷＡＮ、ＬＡＮ等のネットワーク回線の伝送媒体を介して通信部２１から受信して記憶する構成にしてもよく、さらに、記録媒体はネットワーク上に構築されたサーバの記録媒体であってもよい。また、前記プログラムをネットワーク回線等の伝送媒体を介してサーバやクライアントへ伝送してこれらの機器にインストールするように構成してもよい。
【００３４】
Ｉ／Ｆ１４は、メモリスロット１５に接続され、メモリスロット１５に装着された記録媒体に格納される画像データや、ＣＰＵ１１から入力される指示信号等を入出力するためのインターフェイスである。このＩ／Ｆ１４は、例えば、ＵＳＢポートやＲＳ−２３２Ｃ端子等のシリアル入出力端子、パラレル端子、ＳＣＳＩインターフェイス、ＩｒＤＡ規格に準じた赤外線ポート等により構成される。
【００３５】
メモリスロット１５は、不揮発性の書き換え可能な半導体メモリ素子を内蔵した記録媒体を装着するための装着部（図示せず）を備えている。この記録媒体には、デジタルカメラ等により撮影された証明写真の画像データが記録されている。
【００３６】
ＣＤ−Ｒ記録再生部１６は、記録メディアであるＣＤ−Ｒ１０ａを装填するためのＣＤ−Ｒ装填部、圧縮部、スピンドルモータ、光ピックアップ、及び記録用磁気ヘッド、及びＣＤ−Ｒ記録再生回路等（何れも図示せず）を備えている。ＣＤ−Ｒ記録再生部１６は、ＣＰＵ１１の制御に応じて、画像データのサムネール画像、ＩＤ番号、暗証番号、閲覧先ＵＲＬ等をＣＤ−Ｒ１０ａに記録する。
【００３７】
表示部１７は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等によってなる表示画面を備え、ＣＰＵ１１から入力される表示信号の指示に従って入力部１８により入力される入力情報や、通信部２１を介して送受信される情報を表示情報として表示画面上に表示する。
【００３８】
入力部１８は、文字キー、数字キー、及び各種機能キーを備えたキーボードを含み、このキーボードで押下されたキーに対応する押下信号をＣＰＵ１１に出力する。また、入力部１８は、必要に応じてマウス、タッチパネル等のポインティングデバイスや、その他の入力装置を備えるものとしてもよい。
【００３９】
Ｉ／Ｆ１９は、印刷部２０に接続され、ＣＰＵ１１から出力される指示信号に応じて画像データ等を印刷部２０に出力するためのインターフェイスである。このＩ／Ｆ１９は、例えば、ＵＳＢポートやＲＳ−２３２Ｃ端子等のシリアル入出力端子、パラレル端子、ＳＣＳＩインターフェイス、ＩｒＤＡ規格に準じた赤外線ポート等により構成される。
【００４０】
印刷部２０は、連続紙、またはカット紙が印刷用紙として装着された給紙部（図示せず）と排紙部（図示せず）を備え、ＣＰＵ１１の制御に応じてメモリ１２から入力される画像データを、赤外レーザ光やＬＥＤ（Ｌｉｇｈｔ−Ｅｍｉｔｔｉｎｇ  Ｄｉｏｄｅ）による投射光を用いた電子写真方式によって、上記印刷用紙に画像データを転写し、証明写真プリントを印刷出力する。
【００４１】
通信部２１は、ＬＡＮ（Ｏｕｔｌｉｎｅ  ｏｆ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等のネットワークに接続された伝送媒体に接続可能なインターフェイスである。通信部２１は、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００４２】
図３は、店舗端末１０によりＣＤ−Ｒ１０ａに記録されたデータの構成例を示す図である。図３に示すように、ＣＤ−Ｒ１０ａには、階層化ディレクトリ構造によりディレクトリが構成され、ディレクトリの中には、画像データのサムネール画像、ＩＤ番号、暗証番号、閲覧先ＵＲＬ等がそれぞれ分類して記録されている。
【００４３】
まず、最上位の階層（「ＲＯＯＴ」ディレクトリ）には、「ＤＣＩＭ」ディレクトリ、「ｐａｒｔｓ」ディレクトリ、「ａｕｔｏｒｕｎ．ｉｎｆ」ファイル、「ｉｎｄｅｘ．ｈｔｍｌ」ファイルが格納されている。
【００４４】
「ＤＣＩＭ」ディレクトリの下層には、「１００００００１」ディレクトリが格納され、その下層には「ｔｈｍ」ディレクトリと、画像データのサムネール画像である「Ｒ１００００１．ｊｐｇ」が格納されている。また、「ｔｈｍ」ディレクトリの下層には、さらに、画像データのサムネール画像である「Ｔ１００００１．ｊｐｇ」が格納されている。すなわち、本実施の形態においては、２つの画像データのサムネール画像が格納されている。
【００４５】
また、「ｐａｒｔｓ」ディレクトリの下層には、ＨＴＭＬファイルを表示させるためのパーツ（背景、ボタン等の素材）が格納されている。
「ａｕｔｏｒｕｎ．ｉｎｆ」は、例えば、テキスト形式により記述されており、サムネール画像の自動再生や、ＷＷＷブラウザを起動してデータ管理サーバ３０に自動接続する際にＣＰＵ１１により実行される情報が記述されたファイルである。
「ｉｎｄｅｘ．ｈｔｍ」は、例えば、ＨＴＭＬ形式により記述されており、閲覧先ＵＲＬ、ＩＤ番号、暗証番号等が記述されたファイルである。
【００４６】
次に、データ管理サーバ３０は、汎用のＰＣ等により構成され、汎用のパーソナルコンピュータ等により構成され、店舗端末１０からアップロードされた画像データを格納するデータベースを備えている。また、データ管理サーバ３０は、Ｗｅｂサーバとしての機能を備え、ネットワーク上にＨＰ（Ｈｏｍｅ  Ｐａｇｅ）を開設して、顧客端末４０からの要求により、ネットワークＮを介して画像データを閲覧させるために必要なページを提供する。
【００４７】
データ管理サーバ３０について詳細に説明する。図４は、データ管理サーバ３０の機能的構成を示すブロック図である。図４に示すように、データ管理サーバ３０は、ＣＰＵ３１、ＲＡＭ３２、通信部３３、記憶部３４、データベース（Ｄａｔａ  Ｂａｓｅ；以下、「ＤＢ」と記す）３５を備えて構成されている。
【００４８】
ＣＰＵ３１は、記憶部３４に格納されている各種プログラムの中から指定されたプログラムを、ＲＡＭ３２内のワークエリアに展開し、通信部３３から入力されるデータに応じて、プログラムに従った各種処理を実行し、処理結果をＲＡＭ３２内のワークメモリに格納する。
【００４９】
具体的に、ＣＰＵ３１は、店舗端末１０からネットワークＮを介してアップロードされた画像データ、ＩＤ番号及び暗証番号を受信すると、ＩＤ番号と暗証番号を対応付けて記憶部３４に記憶させると共に、画像データとＩＤ番号を対応付けて、ＤＢ３５の所定の格納場所に格納する。
【００５０】
また、ＣＰＵ３１は、顧客端末４０により、ＣＤ−Ｒ１０ａに記録された閲覧先ＵＲＬにアクセスされ、画像データの閲覧要求を受信すると、ログイン画面（例えば、図１２参照）を送信して、ＩＤ番号及び暗証番号を受信する。ＣＰＵ３１は、記憶部３４に記憶させたＩＤ番号及び暗証番号の中から対応するＩＤ番号及び暗証番号を抽出して、ログイン認証を行う。ログイン認証が成功した場合、ＣＰＵ３１は、ＩＤ番号に対応する画像データをＤＢ３５から取得して、画像データ閲覧画面（例えば、図１３参照）を生成し、対応する顧客端末に送信する。
【００５１】
ＲＡＭ３２は、ワークエリアを形成し、このワークエリアに、通信部３３を介して受信した要求指示や、記憶部３４又はＤＢ３５から取得されたデータを一時的に記憶する。
【００５２】
通信部３３は、ＬＡＮ、ＷＡＮ等のネットワークに接続された伝送媒体に接続可能なインターフェイスである。通信部３３は、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００５３】
記憶部３４は、プログラムやデータ等があらかじめ記憶されている記録媒体（図示せず）を有しており、この記録媒体は磁気的、光学的記録媒体、若しくは半導体メモリで構成されている。この記録媒体は記録部３４に固定的に設けられるもの、若しくは着脱自在に装着するものであり、この記録媒体には、システムプログラム、当該システムに対応する各種処理プログラム、及び各種処理プログラムで処理されたデータ等を記憶する。
【００５４】
また、記録媒体に記憶するプログラム、データ等は、その一部若しくは全部をサーバやクライアント等の他の機器からＷＡＮ、ＬＡＮ等のネットワーク回線の伝送媒体を介して通信部３３から受信して記憶する構成にしてもよく、さらに、記録媒体はネットワーク上に構築されたサーバの記録媒体であってもよい。また、前記プログラムをネットワーク回線等の伝送媒体を介してサーバやクライアントへ伝送してこれらの機器にインストールするように構成してもよい。
【００５５】
具体的に、記憶部３４は、店舗端末１０から受信したＩＤ番号と暗証番号を対応付けて記憶する。ＣＰＵ３１は、顧客端末４０からログイン画面を介してＩＤ番号及び暗証番号を受信した場合、記憶部３４に記憶されたＩＤ番号及び暗証番号を読み出して、ログイン認証を行う。
【００５６】
ＤＢ３５は、情報の追加や削除、更新、検索を確実／高速に処理するための構造を有しており、ＤＢ３５に格納された情報は管理用ソフトウェアによって管理される。具体的に、ＤＢ３５は、店舗端末１０からアップロードされた画像データをＩＤ番号とともに所定の格納場所に格納して管理する。
【００５７】
次に、顧客端末４０は、汎用のＰＣ等により構成され、データ管理サーバ３０において、証明写真の画像データを利用したサービスを提供するＨＰを閲覧するためのＷＷＷブラウザを有している。なお、顧客端末４０の機能的構成については、上述した店舗端末３０と略同一の構成によってなるため、各構成部分には同列の符号を付し、その構成の図示及び説明は省略する。すなわち、顧客端末４０、ＣＰＵ４１、メモリ４２、記憶部４３、Ｉ／Ｆ４４、メモリスロット４５、ＣＤ−Ｒ記録再生部４６、表示部４７、入力部４８、Ｉ／Ｆ４９、印刷部５０、通信部５１等を備えて構成されている。
【００５８】
具体的に、顧客端末４０のＣＰＵ４１は、ＣＤ−Ｒ記録再生部４６にＣＤ−Ｒ１０ａが装填されると、ＣＤ−Ｒ記録再生部４６を制御して、ＣＤ−Ｒ１０ａに記録されたデータを読み出し、表示部３７に画像データのサムネール画像を表示させたり、記録された閲覧先ＵＲＬに基づいて、指定されたサーバ（例えば、データ管理サーバ３０）にアクセスして、画像データを閲覧するためのページを取得する。
【００５９】
ここで、画像データを閲覧するためのページは、例えば、ログイン画面であり、顧客は、ログイン画面において、ＣＤ−Ｒ１０ａに記録されたＩＤ番号及び暗証番号を入力することによりログイン認証を受け、画像データが公開されるページにアクセス可能となる。そして、顧客は画像データが公開されるページにおいて、画像データを閲覧し、証明写真の再注文や画像データを利用した種々のサービスを受けることができる。
【００６０】
次に、本実施の形態の動作を説明する。
なお、動作説明の前提として、以下のフローチャートに記述されている各処理を実現するためのプログラムは、店舗端末１０のが読み取り可能なプログラムコードの形態で店舗端末１０の記憶部１３に格納されており、ＣＰＵ１１又はＣＰＵ３１は、当該プログラムコードに従った動作を逐次実行する。
【００６１】
図５を参照して、店舗端末１０により画像データがデータ管理サーバ３０にアップロードされる一連の処理について説明する。図５は、店舗端末１０のＣＰＵ１１により実行されるデータアップロード処理を示すフローチャートである。
【００６２】
図５に示すように、ＣＰＵ１１は、入力部１８を介して、画像データをアップロードさせる指示が入力されたか否かを判別する（ステップＳ１）。次いで、画像データをアップロードさせる指示が入力された場合（ステップＳ１；ＹＥＳ）、画像データが記録された記録媒体がメモリスロット１５に装着されているか否かを判別する（ステップＳ２）。ここで、記録媒体がメモリスロット１５に装着されていない場合（ステップＳ２；ＮＯ）、ＣＰＵ１１は、エラー表示を行い（ステップＳ３）、記録媒体をメモリスロット１５に装着させる。
【００６３】
メモリスロット１５に記録媒体が装着された場合（ステップＳ２；ＹＥＳ）、ＣＰＵ１１は、記録媒体に記録されている画像データを取得する（ステップＳ４）。続いて、ＣＰＵ１１は、取得した画像データが複数ある場合、取得した画像データの中からアップロードを行う画像データを選択させるための画像データ選択画面を生成して表示部１７に表示させ、画像データの選択を行わせる（ステップＳ５）。次いで、ＣＰＵ１１は、ＩＤ番号を発行して、選択された画像データと共に、メモリ１２に記憶させる（ステップＳ６）。
【００６４】
続いて、ＣＰＵ１１は、選択された画像データを表示部１７に表示させて、トリミング処理等の画像処理を施す（ステップＳ７）。ここで、トリミング処理は、画像データから余分な部分を削除して、重要な部分を強調する処理である。なお、ステップＳ７において、トリミング処理の他種々の画像処理を施すことが可能である。
【００６５】
続いて、トリミング処理が終了すると、ＣＰＵ１１は、トリミング処理が施された画像データを縮小したサムネール画像を生成する（ステップＳ８）。次いで、ＣＰＵ１１は、データ管理サーバ３０における画像データの格納場所と、画像データを閲覧するために必要となるＵＲＬを指定する（ステップＳ９）。
【００６６】
さらに、ＣＰＵ１１は、暗証番号を入力させ（ステップＳ１０）、入力された暗証番号をＣＤ−Ｒ１０ａに記録させるか否かの指示を入力させる（ステップＳ１１）。暗証番号を記録しない指示が入力された場合（ステップＳ１１；ＮＯ）、ＣＰＵ１１は、ステップＳ１２に移行し、ＣＤ−Ｒ記録再生部１６にＣＤ−Ｒが装填されているか否かを確認する（ステップＳ１２）。ＣＤ−ＲがＣＤ−Ｒ記録再生部１６に装填されていない場合（ステップＳ１２；ＮＯ）、表示部１７にエラー表示を行い（ステップＳ１３）、ＣＤ−Ｒ記録再生部１６にＣＤ−Ｒを装填させる。
【００６７】
ＣＤ−Ｒ１０ａが装填されると（ステップＳ１２；ＹＥＳ）、ＣＰＵ１１は、ＣＤ−Ｒ記録再生部１６を制御してサムネール画像、ＩＤ番号、閲覧先ＵＲＬを装填されたＣＤ−Ｒに記録させる（ステップＳ１４）。そして、ＣＰＵ１１は、ＣＤ−Ｒへの記録が開始されると、画像処理が施された画像データとＩＤ番号を対応付けて、ＤＢ３５の指定された格納場所にアップロードし、ＩＤ番号と暗証番号を対応付けてデータ管理サーバ３０に送信する（ステップＳ１８）。
【００６８】
一方、ステップＳ１１において、暗証番号を記録する指示が入力された場合（ステップＳ１１；ＹＥＳ）、ＣＰＵ１１は、ステップＳ１５に移行し、ＣＤ−Ｒ記録再生部１６にＣＤ−Ｒが装填されているか否かを確認する（ステップＳ１５）。ＣＤ−ＲがＣＤ−Ｒ記録再生部１６に装填されていない場合（ステップＳ１５；ＮＯ）、表示部１７にエラー表示を行い（ステップＳ１６）、ＣＤ−Ｒ記録再生部１６にＣＤ−Ｒを装填させる。
【００６９】
ＣＤ−Ｒ１０ａが装填されると（ステップＳ１５；ＹＥＳ）、ＣＰＵ１１は、ＣＤ−Ｒ記録再生部１６を制御して、サムネール画像、ＩＤ番号、閲覧先ＵＲＬ、暗証番号を装填されたＣＤ−Ｒに記録させる（ステップＳ１７）。そして、ＣＰＵ１１は、ＣＤ−Ｒへの記録が開始されると、画像処理が施された画像データとＩＤ番号を対応付けて、ＤＢ３５の指定された格納場所にアップロードし、ＩＤ番号とパスワードを対応付けてデータ管理サーバ３０に送信する（ステップＳ１８）。
【００７０】
さらに、ＣＰＵ１１は、画像データのアップロードが終了すると、アップロード終了のメッセージを表示部１７に表示させ、データアップロード処理を終了する指示が入力されたか否かを判別する（ステップＳ１９）。データアップロード処理を終了する指示が入力された場合（ステップＳ１９；ＹＥＳ）、ＣＤ−Ｒ記録再生部１６を制御して、装填されているＣＤ−Ｒ１０ａを排出させ（ステップＳ２０）、本データアップロード処理を終了する。
【００７１】
次に、上述したデータアップロード処理において、店舗端末１０の表示部１７に表示される表示画面について説明する。図６は、上述した図５のステップＳ１において、表示部１７に表示されるスタート画面の一例を示す図である。図６に示すように、スタート画面１７１には、画像データをアップロードする指示を入力するためのボタン１７１ａと、アップロードされた画像データを再注文する指示を入力するためのボタン１７１ｂとが設けられている。上述したデータアップロード処理においては、ボタン１７１ａが操作されることにより、画像データをアップロードする指示が入力される。
【００７２】
次に、図７は、図５のステップＳ５において、表示部１７に表示される画像データ選択画面の一例を示す図である。図７に示すように、画像データ選択画面１７２には、記録媒体から取得された複数の画像データが表示され、カーソルボタン１７２ａ、１７２ｂを操作することにより、任意の画像データを選択することができる構成となっている。
【００７３】
続いて、図８は、図５のステップＳ７において、表示部１７に表示されるトリミング処理画面の一例を示す図である。図８に示すように、トリミング処理画面１７３の左側には、処理対象となる画像データが表示されている。また、その右側には、トリミングの指示を入力するための各指示ボタン及び数値入力項目が設けられている。したがって、オペレータは、各指示ボタンを操作するか、数値入力項目に必要な数値を入力することにより、トリミング処理を行うことができる。
【００７４】
次に、図９は、図５のステップＳ１０において、表示部１７に表示される暗証番号入力画面の一例を示す図である。図９に示すように、暗証番号入力画面１７４には、暗証番号を入力するための入力項目１７４ａと、確認のため再度暗証番号を入力するための入力項目１７４ｂが設けられ、入力された暗証番号は、安全のため「＊＊＊＊」の隠し文字により表示されている。また、暗証番号入力画面１７４の右側には、暗証番号を入力するためのテンキー１７４ｃが表示されている。ここで、暗証番号の入力は顧客が行うため、顧客は、テンキー１７４ｃを操作することにより、任意の暗証番号を入力することができる。
【００７５】
次に，図１０は、図５のステップＳ１１において、表示部１７に表示されるＣＤ−Ｒ１０ａへの暗証番号の記録の有無を指示する指示入力画面の一例を示す図である。図１０に示すように、指示入力画面１７５には、「暗証番号をＣＤに記録しますか？」のメッセージと、「はい」、「いいえ」に対応付けられた入力ボタン１７５ａ、１７５ｂが表示されている。したがって、オペレータは、「はい」の入力ボタン１７５ａを操作することにより、ＣＤ−Ｒに暗証番号を記録させる指示を入力し、「いいえ」の入力ボタン１７５ｂを操作することにより、ＣＤ−Ｒに暗証番号を記録させない指示を入力することができる。
【００７６】
次に、図１１は、図５のステップＳ１９において、表示部１７に表示される終了確認画面の一例を示す図である。図１１に示すように、終了確認画面１７６の上部には、「ＣＤ−Ｒの書きこみが終了しました。」のメッセージと、「画像アップロード中です。」のメッセージが表示されている。なお、画像データのアップロードが終了すると、「画像アップロードが終了しました。」のメッセージが表示される。また、その下部には、「顔画像のＩＤ  Ｎｏ」として、ＩＤ番号である「００１０３０１０２４００１」が表示され、「お客様の暗証番号」として、暗証番号が「＊＊＊＊」の隠し文字により表示されている。さらに、終了確認画面１７６の右下には、終了の指示を入力する終了ボタン１７６ａが設けられ、オペレータにより終了ボタン１７６ａが操作されると、データアップロード処理を終了する指示が入力される。
【００７７】
続いて、ＣＤ−Ｒ１０ａを用いてアップロードした画像データを閲覧する際に、顧客端末４０の表示部４７に表示される表示画面について説明する。図１２は、ＣＤ−Ｒ１０ａに記録された閲覧先ＵＲＬに接続された際に、データ管理サーバ３０から送信されるログイン画面を示す図である。図１２に示すように、ログイン画面４７１には、「ＩＤ番号と、暗証番号を入力してください。」のメッセージが表示され、その下部には、ＩＤ番号を入力するための入力項目４７１ａと、暗証番号を入力するための入力項目４７１ｂとが設けられている。また、その下部には、「画像閲覧」ボタン４７１ｃが設けられ、顧客により「画像閲覧」ボタン４７１ｃが操作されると、入力されたＩＤ番号及び暗証番号がデータ管理サーバ３０に送信される。
【００７８】
図１３は、上述したログイン画面４７１におけるログイン認証が成功した場合に、顧客端末４０に送信される画像データ閲覧画面を示す図である。図１３に示すように、画像データ閲覧画面４７２には、ログイン認証において入力されたＩＤ番号に対応する画像データが画面中央に表示され、その下部には、確認の指示を入力するための「ＯＫ」ボタンが設けられている。顧客により「ＯＫ」ボタンが操作されると、例えば、利用可能なサービスが一覧表示されたメニュー画面等がデータ管理サーバ３０から送信され、次の操作を行うことができる構成となっている。
【００７９】
以上のように、本実施の形態の証明写真システム１００によれば、店舗端末１０は、撮影された証明写真の画像データを取得して、所定の画像処理を行い、画像処理が施された画像データのサムネール画像を生成する。また、店舗端末１０は、当該画像データに固有のＩＤ番号を発行して、顧客に任意の暗証番号を入力させ、ＣＤ−Ｒにサムネール画像、ＩＤ番号、暗証番号、閲覧先ＵＲＬ等を記録する。さらに、店舗端末１０は、ＣＤ−Ｒに情報の記録が行われると、データ管理サーバ３０の備えるＤＢ３５の所定の格納場所に画像データ及びＩＤ番号をアップロードさせ、ＩＤ番号と暗証番号をデータ管理サーバ３０に送信する。
【００８０】
したがって、本実施の形態によれば、本サービスを利用する顧客は、必要な情報が記録されたＣＤ−Ｒを受け取り、自宅の顧客端末４０においてＣＤ−Ｒを装填し、ＣＤ−Ｒに記録される閲覧先ＵＲＬに基づいて、容易にデータ管理サーバ３０にアップロードされた画像データにアクセスして、画像データを閲覧することができる。これにより、顧客は、ネットワークＮに接続が可能な場所であればどこでも、いつでも、データ管理サーバ３０において提供される再注文等のサービスを受けることができ、画像データを利用した種々のサービスを手軽に受けることができる。この結果、証明写真サービスを提供する写真専門店は、売上の向上を図ることができる。
【００８１】
また、画像データは、データ管理サーバ３０により管理されるため、画像データの紛失や消去、或いは、改竄や誤った画像処理等が施されることなく、写真専門店で撮影されたままの高品質なプリントを提供することができる。また、画像データはＩＤ番号及びパスワードにより管理されるため、第三者による不正なアクセスを防ぐことができ、重要な画像データを適切に保護して、システム全体のセキュリティを向上させることができる。
【００８２】
また、ＣＤ−Ｒ１０ａに記録される画像データを閲覧するために必要となるＵＲＬは、直接画像データにアクセスして閲覧する場合に必要となるＵＲＬの他、画像データへのアクセス方法を示す情報の所在地を示すＵＲＬ（例えば、ログイン画面のＵＲＬ）であってもよい。つまり、ＣＤ−Ｒに必要な情報を記録する際に、画像データの公開場所が限定されていなくてもよいため、拡張性の高いシステム構成を実現することができる。また、様々な形態のシステムに本発明を適用させることが可能であり、汎用性の高い証明写真システムを提供することができる。
【００８３】
なお、上述した本実施の形態における記述は、本発明に係る好適な証明写真システムの一例であり、これに限定されるものではない。
【００８４】
例えば、本実施の形態においては、証明写真として撮影された画像データを例として説明を行ったが、画像データは証明写真に限らず種々の画像データであってよい。また、証明写真の画像データは、メモリスロット１５を介して、記録媒体から取得される構成として説明を行ったが、例えば、店舗端末１０がスキャナ等の読み取り装置を備え、プリント写真を読み取って、画像データを取得する構成であってもよい。さらに、ＣＤ−Ｒに記録されるデータ及びデータ構成は、一例であり、上述した例に限定されない。
【００８５】
例えば、データ管理サーバ３０にアップロードした画像データをＣＤ−Ｒに記録してもよく、或いは、画像処理が施される前の本画像データをＣＤ−Ｒに記録する構成であってもよい。この場合、記録された画像データ又は本画像データが顧客に不用意に消去されたり、誤った画像処理が施されないように、画像データ又は本画像データが格納されるディレクトリには、読み取りプロテクトをかけておくことが望ましい。この構成によれば、例えば、顧客がＣＤ−Ｒを写真専門店に持ち込むことにより、ＣＤ−Ｒに記録された画像データを利用して、再注文等を行うことができ、顧客の状況に応じて多様な態様のサービスを提供することができる。
【００８６】
また、データアップロード処理において、ＣＤ−Ｒに記録するデータは、サムネール画像、ＩＤ番号、閲覧先ＵＲＬ、暗証番号等であるとしたが、例えば、ｈｔｍｌファイルを表示させるための「ｐａｒｔｓ」ディレクトリや、サムネール画像を自動表示させるための「ａｕｔｏｒｕｎ．ｉｎｆ」等を同時に記録する構成であっても良い。或いは、これらのファイルは、予めＣＤ−Ｒに記録（プレバーニング）されている構成であっても良い。また、「ａｕｔｏｒｕｎ．ｉｎｆ」に記述されたプログラムを自動起動させることにより、顧客端末４０にＣＤ−Ｒ１０ａが装填されると、自動的にＣＤ−Ｒ１０ａに記録された閲覧先ＵＲＬを読み取って、当該ＵＲＬにアクセスする構成であっても良い。
【００８７】
さらに、画像データのアップロードを開始するタイミングとしては、ＣＤ−Ｒに記録が開始された際に、アップロードを開始する構成として説明を行ったが、少なくとも記録が開始された時点であればよく、ＣＤ−Ｒの記録が終了した後に、アップロードを開始する構成であっても勿論良い。これにより、ＣＤ−Ｒの記録忘れを回避し、確実にサービスを提供することができる。
【００８８】
また、上述した証明写真システム１００のデータ管理サーバ３０は、１つのコンピュータにより構成される例について説明を行ったが、複数のコンピュータがＬＡＮ、ＷＡＮイントラネット、あるいはインターネット等のネットワークを介して通信接続されたコンピュータネットワークシステムにより構成されるものとしてもよい。複数のコンピュータにより構成されるコンピュータネットワークシステムとした場合は、上述の処理を、各コンピュータにて分散して処理することが望ましい。また、データ管理サーバ３０は、１つのＤＢ３５を備える場合を例として説明を行ったが、複数のＤＢを備え、ぞれぞれのＤＢに分散して画像データを格納する構成であっても良い。
【００８９】
その他、本実施の形態における証明写真システム１００における各構成要素の細部構成及び細部動作に関しては、本発明の趣旨を逸脱することのない範囲で適宜変更可能であることはもちろんである。
【００９０】
【発明の効果】
請求項１又は５記載の発明によれば、画像データを閲覧するために必要な情報を記録メディアに記録させ、画像データをアップロードさせることができる。これにより、アップロード後に画像データを閲覧する場合、記録メディアを利用して、簡単な操作により画像データにアクセスして、所望する画像データを閲覧、利用することができ、利便性、操作性がよい。
【００９１】
請求項２又は６記載の発明によれば、記録メディアに記録された種々の情報に基づいて、アップロードされた画像データにアクセスして、画像データを容易に閲覧、利用することができる。これにより、様々な形態のシステムに本発明を展開することが可能であり、汎用性の高い画像データ管理システムを提供することができる。
【００９２】
請求項３又は７記載の発明によれば、画像データに画像データの識別情報を対応付けてアップロードさせると共に、記録メディアに画像データの識別情報を記録させるため、アップロードされた画像データと、記録メディアとの対応関係を明確にすることができる。これにより、画像データの紛失等を防止することができる。
【００９３】
請求項４又は８記載の発明によれば、画像データの識別情報に基づいてパスワードにより、画像データを管理することができるため、第三者の画像データの閲覧、利用を制限して、セキュリティの高い画像データ管理システムを提供することができる。
【図面の簡単な説明】
【図１】本発明を適用した実施の形態における証明写真システム１００のシステム構成を示す概念図である。
【図２】図１に示す店舗端末１０の機能的構成を示すブロック図である。
【図３】ＣＤ−Ｒ１０ａに記録されるデータ構成例を示す図である。
【図４】図１に示すデータ管理サーバ３０の機能的構成を示すブロック図である。
【図５】図２のＣＰＵ１１により実行されるデータアップロード処理を示すフローチャートである。
【図６】データアップロード処理において、店舗端末１０の表示部１７に表示されるスタート画面１７１を示す図である。
【図７】データアップロード処理において、店舗端末１０の表示部１７に表示される画像データ選択画面１７２を示す図である。
【図８】データアップロード処理において、店舗端末１０の表示部１７に表示されるトリミング処理画面１７３を示す図である。
【図９】データアップロード処理において、店舗端末１０の表示部１７に表示される暗証番号入力画面１７４を示す図である。
【図１０】データアップロード処理において、店舗端末１０の表示部１７に表示される指示入力画面１７５を示す図である。
【図１１】データアップロード処理において、店舗端末１０の表示部１７に表示される終了確認画面１７６を示す図である。
【図１２】図１に示す顧客端末４０の表示部４７に表示されるログイン画面４７１を示す図である。
【図１３】図１に示す顧客端末４０の表示部４７に表示される画像データ閲覧画面４７２を示す図である。
【符号の説明】
１０    店舗端末
１１    ＣＰＵ
１２    メモリ
１３    記憶部
１４    Ｉ／Ｆ
１５    メモリスロット
１６    ＣＤ−Ｒ記録再生部
１７    表示部
１８    入力部
１９    Ｉ／Ｆ
２０    印刷部
２１    通信部
２２    マザーボード
１０ａ  ＣＤ−Ｒ
３０    データ管理サーバ
３１    ＣＰＵ
３２    ＲＡＭ
３３    通信部
３４    記憶部
３５    データベース
４０    顧客端末
１００    証明写真システム
Ｎ      ネットワーク
【図１】
2004328527.tif 000003
【図２】
2004328527.tif 000004
【図３】
2004328527.tif 000005
【図４】
2004328527.tif 000006
【図５】
2004328527.tif 000007
【図６】
2004328527.tif 000008
【図７】
2004328527.tif 000009
【図８】
2004328527.tif 000010
【図９】
2004328527.tif 000011
【図１０】
2004328527.tif 000012
【図１１】
2004328527.tif 000013
【図１２】
2004328527.tif 000014
【図１３】
2004328527.tif 000015